(57)【特許請求の範囲】
【請求項１】
前後両端部に走行用のローラを有する本体と、該本体から相対回転自在に垂下する十字穴付きボルトの吊りボルトと、前記本体に搭載し、前記吊りボルトの六角の頭部に弾発的に係合して前記吊りボルトを回り止めする回り止め部材とを備えてなり、該回り止め部材は、前記吊りボルトを貫通させる底部と、前記吊りボルトの頭部の平行対辺の間隔に適合する間隔を隔てて前記底部の両端に立設する一対の係合片とを一体成形し、該係合片は、前記吊りボルトを回転させると、前記頭部の角部により外側に弾性変形することを特徴とする吊り戸用の吊車。
【請求項２】
前記ローラは、前記本体の前後両端部に各１個を回転自在に内装することを特徴とする請求項１記載の吊り戸用の吊車。
【請求項３】
吊りボルトを有する吊り戸用の吊車を走行自在に収納するレール材と、該レール材を垂直面に下向きに固定するベース材とを備えてなり、前記レール材は、断面台形の上向きの位置決めリブを上壁に形成し、前記ベース材は、垂直の取付部の上端に水平の支持部を形成し、前記レール材の一方の側壁を前記取付部に対応させるとともに前記支持部の幅を前記レール材の横幅に揃え、前記支持部の先端に斜め上向きの化粧リブを形成し、前記支持部の下面の形状を前記位置決めリブの外形に適合させ、前記位置決めリブを嵌合させてねじ止めすることにより前記レール材を前記支持部に連結し、前記吊車の吊りボルトを回転駆動して前記吊り戸の高さを調整するための調整孔を前記位置決めリブの天面、前記支持部に共通に開口することを特徴とする吊り戸用のレール。
【請求項４】
前記ベース材は、前記支持部の幅を前記レール材の横幅に揃えるに代えて前記レール材の横幅より小さくし、前記化粧リブは、前記ベース材に代えて前記レール材側に形成することを特徴とする請求項３記載の吊り戸用のレール。
【請求項５】
請求項１または請求項２記載の吊車を介して請求項３または請求項４記載のレールから吊り戸を前後動自在に吊下してなる吊り戸装置。
【請求項６】
前記吊車は、前記吊り戸の上框に埋め込む埋め込みナットに前記吊りボルトをねじ込むことを特徴とする請求項５記載の吊り戸装置。
【発明の詳細な説明】
【技術分野】
【０００１】
この発明は、たとえばトイレブースなどの狭い場所でも簡便に設置することができる吊り戸用の吊車、レールと、それを使用する吊り戸装置に関する。
【背景技術】
【０００２】
トイレブースのような狭い場所に設置する吊り戸は、その高さを簡単に調整できることが必要不可欠である。
【０００３】
そこで、吊車から垂下する吊りボルトを回転させて吊り戸の高さを調整することが知られている。たとえば、吊りボルトの中途にナット状の操作部を設け、操作部にスパナを掛けて吊りボルトを回転駆動して吊り戸の高さを調整することができる（特許文献１）。また、吊りボルトに連結する吊り戸側のナットを回転させるために、吊り戸にベベルギヤ機構を組み込むことも提案されている（特許文献２）。さらに、吊車を収納して走行させるレールの取付位置を上下に調整するために、建物の天井とレールとの間に弾性部材を介装することも知られている（特許文献３）。
【特許文献１】特開平６−１４６７２６号公報
【特許文献２】特開平７−３１０４７０号公報
【特許文献３】特開２００５−２４０２７６号公報
【発明の開示】
【発明が解決しようとする課題】
【０００４】
かかる従来技術のうち、第１のものによるときは、吊りボルトの中途の操作部は、吊車を収納するレールと吊り戸との間に位置するから、このような場所の操作部にスパナを掛けて吊りボルトを回転させること自体必ずしも簡単ではない。また、第２のものは、吊り戸にベベルギヤ機構を組み込むために、全体構造が複雑となり、製造コストが過大になりがちである。さらに、第３のものは、高さ調整の範囲が狭く、レールを取り付ける天井面の不陸を吸収する程度でしかないという問題がある。
【０００５】
そこで、この発明の目的は、かかる従来技術の問題に鑑み、ベース材を介して垂直面にレール材を固定し、十字穴付きボルトの吊りボルトをレール材の上方から回転駆動することによって、吊り戸の高さ調節や吊込み作業がし易く、狭い場所でも簡便に設置することができる吊り戸用の吊車、レールと、それを使用する吊り戸装置を提供することにある。
【課題を解決するための手段】
【０００６】
かかる目的を達成するためのこの出願の第１発明（請求項１に係る発明をいう、以下同じ）の構成は、前後両端部に走行用のローラを有する本体と、本体から相対回転自在に垂下する十字穴付きボルトの吊りボルトと、本体に搭載し、吊りボルトの六角の頭部に弾発的に係合して吊りボルトを回り止めする回り止め部材とを備えてなり、回り止め部材は、吊りボルトを貫通させる底部と、吊りボルトの頭部の平行対辺の間隔に適合する間隔を隔てて底部の両端に立設する一対の係合片とを一体成形し、係合片は、吊りボルトを回転させると、頭部の角部により外側に弾性変形することをその要旨とする。
【０００７】
なお、ローラは、本体の前後両端部に各１個を回転自在に内装することができる。
【０００８】
第２発明（請求項３に係る発明をいう、以下同じ）の構成は、吊りボルトを有する吊り戸用の吊車を走行自在に収納するレール材と、レール材を垂直面に下向きに固定するベース材とを備えてなり、レール材は、断面台形の上向きの位置決めリブを上壁に形成し、ベース材は、垂直の取付部の上端に水平の支持部を形成し、レール材の一方の側壁を取付部に対応させるとともに支持部の幅をレール材の横幅に揃え、支持部の先端に斜め上向きの化粧リブを形成し、支持部の下面の形状を位置決めリブの外形に適合させ、位置決めリブを嵌合させてねじ止めすることによりレール材を支持部に連結し、吊車の吊りボルトを回転駆動して吊り戸の高さを調整するための調整孔を位置決めリブの天面、支持部に共通に開口することをその要旨とする。
【０００９】
なお、ベース材は、支持部の幅をレール材の横幅に揃えるに代えてレール材の横幅より小さくし、化粧リブは、ベース材に代えてレール材側に形成してもよい。
【００１０】
第３発明（請求項５に係る発明をいう、以下同じ）の構成は、第１発明に係る吊車を介して第２発明に係るレールから吊り戸を前後動自在に吊下することをその要旨とする。
【００１１】
なお、吊車は、吊り戸の上框に埋め込む埋め込みナットに吊りボルトをねじ込むことができる。
【発明の効果】
【００１２】
かかる第１発明の構成によるときは、走行用のローラを有する本体を吊り戸用のレールに収納し、レールの下に吊り戸を配置して、本体から垂下する吊りボルトを吊り戸内のナットに合わせ、レールの上部に開口する調整孔にドライバを挿入して十字穴付きボルトの吊りボルトを回転駆動することにより、吊りボルトを介して吊り戸を吊下し、任意の高さに調整することができる。このとき、本体に搭載する回り止め部材は、吊りボルトの六角の頭部に弾発的に係合して吊りボルトを回り止めすることにより、ドライバによる吊りボルトの回転駆動を許容するが、吊り戸の使用中に吊りボルトが不用意に回転してしまうことを防止し、吊り戸が下がったりするおそれがない。
【００１３】
回り止め部材は、底部の両端に係合片を立設し、底部を上から下に貫通する吊りボルトと一体に組み合わせることにより、底部上に位置する吊りボルトの頭部と各係合片との相対位置関係を一定に保ち、各係合片の弾性変形による吊りボルトの回り止め効果を安定に維持することができる。
【００１４】
第２発明の構成によるときは、吊車を収納するレール材は、ベース材を介して垂直面に下向きに固定することにより、吊車の吊りボルトを介して吊り戸を前後動自在に吊下することができる。また、レール材は、上壁上の位置決めリブの外形がベース材の支持部の下面の形状に適合するから、位置決めリブを支持部の下面に嵌合させてねじ止めすることにより、ベース材に対して相対移動不能に一体に連結することができる。なお、ベース材を介してレール材を固定する垂直面は、建物の構築部材の任意の垂直面の他、たとえばトイレブースを仕切るパネル材の表面であってもよく、パネル材の上端の笠木の側面であってもよい。
【００１５】
ベース材の支持部の先端に形成する斜め上向きの化粧リブは、たとえばベース材の上面に露出するレール材との連結用のナットなどを体裁よく隠蔽する。
【００１６】
第３発明の構成によるときは、第１発明に係る吊車を介して第２発明に係るレールから吊り戸を吊下することにより、吊車の吊りボルトを介して吊り戸を吊下し、吊り戸の高さを任意に簡単に調整することができる。なお、吊り戸の上框の下面側に埋め込む埋め込みナットに吊りボルトをねじ込み、吊りボルトに対する吊り戸の連結強度を簡単に十分大きくすることができる。ただし、吊りボルトを回転駆動して吊り戸の高さを調整するために、レール材の上壁、ベース材の支持部には、ドライバを挿入する調整孔を位置合せして開口させるものとする。
【発明を実施するための最良の形態】
【００１７】
以下、図面を以って発明の実施の形態を説明する。
【００１８】
吊り戸用の吊車１０は、走行用のローラ１２、１２を有する本体１１と、本体１１から垂下する吊りボルト１３と、本体１１に搭載する回り止め部材１４とを備えてなる（図１、図２）。ただし、図２（Ａ）〜（Ｄ）は、それぞれ吊車１０の上面図、側面図、下面図、中央縦断面側面図である。
【００１９】
本体１１は、板材を折り曲げて、上面開放の長方形の箱形に形成されている。本体１１の前後両端部には、ローラ１２、１２が組み込まれており、本体１１の両端には、それぞれ小ねじ１５ａ、ワッシャ１５ｂを介してクッション材１５がねじ止めされている。なお、本体１１の下面は、ローラ１２、１２に対応する部分を除き、前後の端板に連続する両端部の底板１１ａ、１１ａ、左右の側板に連結する中央部の底板１１ｂを介して閉じられており、中央部の底板１１ｂには、吊りボルト１３、回り止め部材１４用の透孔１１ｃが開口されている。
【００２０】
ローラ１２、１２には、それぞれ図示しないベアリングを介して軸１２ａが相対回転自在に挿通されている。そこで、各ローラ１２は、軸１２ａの両端を本体１１の左右の側板の孔１１ｄ、１１ｄにかしめることにより、本体１１に内装されている。各ローラ１２の外周両端には、低い環状のリブ１２ｂ、１２ｂが形成されており、各ローラ１２の外周は、本体１１の上面、下面に部分的に突出している。
【００２１】
吊りボルト１３は、十字穴付きボルトであって、回り止め部材１４を介し、本体１１の底板１１ｂの透孔１１ｃに対し、上から下に相対回転自在に挿通されている。なお、吊りボルト１３は、六角の頭部１３ａの下部に止め輪１３ｃ用の溝１３ｂが形成されており、底板１１ｂの下方において、溝１３ｂに止め輪１３ｃを装着することにより抜け止めされている。
【００２２】
回り止め部材１４は、吊りボルト１３用の貫通孔１４ａを形成する底部１４ｂと、底部１４ｂの両端に相対向するようにして立設する一対の係合片１４ｃ、１４ｃとを備えている。なお、回り止め部材１４は、適当な弾性を有する合成樹脂材により一体成形されている。
【００２３】
貫通孔１４ａは、円筒状の係止部１４ｄを介して底部１４ｂの下方に延長されている（図１、図３（Ｂ））。ただし、図３（Ａ）、（Ｂ）は、それぞれ図２（Ａ）の要部拡大相当図、図３（Ａ）のＸ−Ｘ線矢視相当の要部断面図である。すなわち、貫通孔１４ａの下部には、本体１１の透孔１１ｃに適合する円筒状の係止部１４ｄが一体に形成されており、係止部１４ｄには、相対向する下部開放のすり割り１４ｅ、１４ｅ、下端の抜け止め１４ｆが形成されている。そこで、回り止め部材１４は、係止部１４ｄを本体１１の透孔１１ｃに弾発的に挿通させることにより、本体１１の底板１１ｂ上に固定することができる。また、吊りボルト１３は、底板１１ｂ上の回り止め部材１４の貫通孔１４ａに対して上から下に挿通させることにより、頭部１３ａを底部１４ｂ上に位置させるとともに、止め輪１３ｃを介して回り止め部材１４と一体に抜け止めすることができる。
【００２４】
一方、回り止め部材１４の係合片１４ｃ、１４ｃは、吊りボルト１３の頭部１３ａの平行対辺の間隔に適合する間隔を隔てて、底部１４ｂの両端に立設されている。各係合片１４ｃの内側基部は、横溝状に切り欠かれており、内側上端部は、上向きの斜面に切り欠かれている。また、各係合片１４ｃの背面側は、上端から下向きに四角形状に切り欠かれており、四角形の切欠き部分の下端には、内外に連通する横長の開口部１４ｇが形成されている。
【００２５】
そこで、回り止め部材１４は、底部１４ｂ上に位置する吊りボルト１３の頭部１３ａに対して係合片１４ｃ、１４ｃが弾発的に係合して頭部１３ａを拘束することにより、吊りボルト１３を有効に回り止めすることができる（図３（Ａ）、（Ｂ）の各実線）。一方、吊りボルト１３は、図示しないドライバを使用して頭部１３ａを回転操作すると、係合片１４ｃ、１４ｃが頭部１３ａの角部により外側に弾性変形することにより、任意に回転駆動することが可能である（同図の各二点鎖線）。ただし、このとき、各係合片１４ｃの上端の最大変形量は、本体１１の左右の側板によって規制されるものとし、各係合片１４ｃの弾性変形形態は、図３に拘らず、頭部１３ａの角部に対応するとともに開口部１４ｇの上方に位置する係合片１４ｃの中間部が局部的に湾曲変形する。
【００２６】
吊車１０と組み合わせる吊り戸用のレール２０は、レール材２１と、ベース材２２とを組み合わせてなる（図４、図５）。レール材２１、ベース材２２は、それぞれアルミニウム材の押出形材であり、吊車１０を走行自在に収納するレール材２１は、ベース材２２を介して建物の構築部材の任意の垂直面Ｖに下向きに固定することにより、吊車１０の吊りボルト１３を介して吊り戸３０を前後動自在に吊下することができる。
【００２７】
レール材２１は、上壁２１ａの両側に左右の側壁２１ｂ、２１ｂを上下方向に形成し、側壁２１ｂ、２１ｂの下端に左右の下壁２１ｃ、２１ｃを内向きに対向させて突設して形成されている。上壁２１ａの中央部には、断面台形の上向きの位置決めリブ２１ｄが長手方向に連続的に形成されており、各側壁２１ｂの上端は、位置決めリブ２１ｄと同一高さに上向きに延長されている。また、下壁２１ｃ、２１ｃの間には、吊車１０の吊りボルト１３を垂下させるガイド溝２１ｊが連続的に開口されており、下壁２１ｃ、２１ｃの先端部上面には、吊車１０のローラ１２、１２をガイドするガイドリブ２１ｅ、２１ｅが上向きに突設されている。また、下壁２１ｃ、２１ｃの先端部下面には、外向きに屈曲するフック２１ｆ、２１ｆが形成されている。
【００２８】
ベース材２２は、垂直の取付部２２ａの上端に対し、水平の支持部２２ｂが一体に形成されている。取付部２２ａの下端には、水平のあり溝２２ｃが形成され、取付部２２ａの内面には、上下方向に広幅の切欠き部２２ｄが形成されている。なお、切欠き部２２ｄの上部、下部は、取付部２２ａの外面と平行な同一平面となっている。支持部２２ｂの下面には、左右のガイドリブ２２ｅ、２２ｅが形成され、ガイドリブ２２ｅ、２２ｅの内側は、レール材２１の位置決めリブ２１ｄの外形に適合するように、下向きに開く斜面に形成されている。また、支持部２２ｂの先端には、斜め上向きの化粧リブ２２ｆが形成され、支持部２２ｂの上面先端寄りには、低いストッパリブ２２ｇが上向きに形成されている。
【００２９】
そこで、ベース材２２は、取付用の木ねじ２３、２３を介して取付部２２ａを垂直面Ｖに密着させるようにして固定することができる。ただし、木ねじ２３、２３の頭部は、取付部２２ａの内面の切欠き部２２ｄに収納されるものとし、切欠き部２２ｄの底面には、木ねじ２３、２３の位置決め用のガイド溝２２ｄ1 、２２ｄ1 が上下に形成されている。
【００３０】
レール材２１は、位置決めリブ２１ｄの天面、ベース材２２のガイドリブ２２ｅ、２２ｅの中間にそれぞれ開口するボルト孔２１ｇ、２２ｈに対してレール材２１側から短いボルト２４を上向きに挿通し、ベース材２２の支持部２２ｂ上のナット２４ａと組み合わせることにより、ベース材２２と一体に連結して下向きに固定することができる。なお、ナット２４ａは、ストッパリブ２２ｇを介して回り止めされ、レール材２１は、一方の側壁２１ｂがベース材２２の取付部２２ａに対応するとともに、位置決めリブ２１ｄがガイドリブ２２ｅ、２２ｅの間に嵌合することにより、ベース材２２に対して相対移動不能に連結される。ただし、ボルト２４用のボルト孔２１ｇ、２２ｈは、レール材２１、ベース材２２の長手方向に適当な同一ピッチごとに開口するものとし、ボルト孔２１ｇ、２２ｈの一方または双方は、それぞれレール材２１、ベース材２２の長手方向の長孔としてもよい。
【００３１】
レール２０は、レール材２１に吊車１０を収納することにより、ガイド溝２１ｊを介して吊りボルト１３を垂下させながら、ローラ１２、１２を介して吊車１０を前後に走行させることができ、レール材２１のガイドリブ２１ｅ、２１ｅは、ローラ１２、１２の走行経路をガイドする。一方、吊り戸３０の上框３１には、吊りボルト１３用のボルト孔３１ａを介して、下面側から埋め込みナット３１ｂが埋設されている（図５）。なお、吊り戸３０は、たとえば上框３１の他、前後の各竪框３２、図示しない下框による枠体の内部にペーパハニカムのコア材３３を充填し、両面にそれぞれ表面材３４を貼着して構成されている。
【００３２】
吊り戸３０は、レール２０の下に配置して上に持ち上げ、レール材２１内の吊車１０の吊りボルト１３を回転操作して吊り戸３０側の埋め込みナット３１ｂに吊りボルト１３をねじ込むことにより、吊車１０に連結して吊り込むことができる。ただし、吊りボルト１３は、レール材２１の位置決めリブ２１ｄの天面、ベース材２２の支持部２２ｂに共通に開口する調整孔２５に図示しないドライバを挿入して回転駆動することにより（図５の矢印方向）、吊り戸３０を吊下するとともに、その高さを任意に調整することができる。なお、吊り戸３０の前後２箇所を吊下するために、吊り戸３０には、埋め込みナット３１ｂ、３１ｂを前後２箇所に埋設し、レール２０側には、吊り戸３０の吊り込みに先き立って、吊り戸３０上の埋め込みナット３１ｂ、３１ｂ間の距離に合わせて２個の調整孔２５、２５を開口し、調整孔２５、２５の位置に合わせて２個の吊車１０、１０をレール材２１に収納して配置する。
【００３３】
レール２０は、トイレブースを仕切るパネル材Ｐの表面に固定することができる（図６（Ａ）、図７）。ただし、図６（Ａ）、図７のパネル材Ｐは、建物の天井Ｃにまで到達しており、レール２０は、パネル材Ｐの中間に固定されている。なお、閉鎖状態の吊り戸３０の上部に露出するレール２０は、たとえばベース材２２のあり溝２２ｃやレール材２１のフック２１ｆを利用して、適当なカバー材を付設することが好ましい。また、レール２０は、トイレブースを仕切るパネル材Ｐの上端の笠木Ｐ1 の側面に固定してもよい（図６（Ｂ）、図８）。
【００３４】
以上の説明において、レール２０のレール材２１、ベース材２２は、それぞれの断面形状を変更してもよい（図９）。たとえば、ベース材２２は、支持部２２ｂの基端部、先端部にそれぞれ斜め上向きの化粧リブ２２ｆを対称的に形成するともに（図９（Ａ））、取付部２２ａの下端のあり溝２２ｃを省略してもよい。また、化粧リブ２２ｆは、ベース材２２に代えてレール材２１側に形成してもよく（図９（Ｂ））、レール材２１は、ガイドリブ２１ｅ、２１ｅに代えて、段部２１ｈ、２１ｈを介して吊車１０のローラ１２をガイドしてもよい。さらに、ベース材２２の支持部２２ｂの下面は、ガイドリブ２２ｅ、２２ｅを形成するに代えて、全体としてレール材２１の位置決めリブ２１ｄの外形に適合するように形成してもよい。なお、図９（Ａ）、（Ｂ）のレール２０も、トイレブースを仕切るパネル材Ｐの表面または上端の笠木Ｐ1 の側面に固定することができる。また、図９（Ｂ）において、吊りボルト１３には、ロックナット１３ｄが装着されているが、ロックナット１３ｄは、吊車１０内の回り止め部材１４が機能する限り、必ずしも必要ではない。
【図面の簡単な説明】
【００３５】
【図１】吊車の分解斜視図
【図２】吊車の構成説明図
【図３】吊車の要部拡大説明図
【図４】レールの分解構成図
【図５】吊り戸装置の構成説明図（１）
【図６】吊り戸装置の構成説明図（２）
【図７】吊り戸装置の構成説明図（３）
【図８】吊り戸装置の構成説明図（４）
【図９】他の実施の形態を示す図６相当の構成説明図
【符号の説明】
【００３６】
Ｖ…垂直面
１０…吊車
１１…本体
１２…ローラ
１３…吊りボルト
１３ａ…頭部
１４…回り止め部材
１４ｂ…底部
１４ｃ…係合片
２０…レール
２１…レール材
２１ａ…上壁
２１ｂ…側壁
２１ｄ…位置決めリブ
２２…ベース材
２２ａ…取付部
２２ｂ…支持部
２２ｆ…化粧リブ
３０…吊り戸
３１…上框
３１ｂ…埋め込みナット
特許出願人          小松ウオール工業株式会社
代理人  弁理士                松  田  忠  秋
【図１】
0005150315.tif 000002
【図２】
0005150315.tif 000003
【図３】
0005150315.tif 000004
【図４】
0005150315.tif 000005
【図５】
0005150315.tif 000006
【図６】
0005150315.tif 000007
【図７】
0005150315.tif 000008
【図８】
0005150315.tif 000009
【図９】
0005150315.tif 000010